(57)【特許請求の範囲】
【請求項１】
一定のピッチで並設される複数のコンタクトと、前記各コンタクトを保持するインシュレータとから構成されるコネクタにおいて、
前記各コンタクトは、前記インシュレータに保持される保持部と、接続対象物と接触する接触部と、端子部と、前記接触部と前記端子部とを連結する連結部とを有し、
前記インシュレータは、少なくとも前記保持部を収容する第１の収容部と、前記端子部と前記連結部のそれぞれの少なくとも一部を収容する第２の収容部とを有し、
前記ピッチ方向において、前記第２の収容部は前記第１の収容部よりも幅広に形成され、
前記第２の収容部に収容された前記連結部は、傾斜したクランク状に形成され、前記接触部の中心線と前記端子部の中心線とは異なることを特徴とするコネクタ。
【発明の詳細な説明】
【０００１】
【発明の属する技術分野】
本発明は、コネクタにおけるコンタクトとインシュレータの形状及び構造に関し、一用途例として狭ピッチＦＰＣ（Flexible Printed Circuit）用コネクタに関する。
【０００２】
【従来の技術】
従来のＦＰＣ用コネクタでは、コンタクトのピッチ方向において、各コンタクトと各コンタクトを保持するインシュレータとの間にクリアランスが設けられ、各コンタクトとインシュレータが雰囲気にさらされている。したがって、各コンタクトとインシュレータとの間にフラックスの毛細管現象の発生が防止される。しかし、コンタクトのピッチが狭小化するにしたがって、ピッチ方向にクリアランスを設けることは、物理的に困難に至っている。
【０００３】
この種のＦＰＣ用コネクタは、多数提案されている（例えば、特許文献１参照。）。
【０００４】
【特許文献１】
特開２００１−５７２６０号公報（第３，４頁、図１−３）
【０００５】
【発明が解決しようとする課題】
そこで、本発明は、従来のＦＰＣ用コネクタの欠点を改良し、コンタクトのピッチを拡大せずに、各コンタクトとインシュレータとの間にも毛細管現象に基因するフラックスの上がりが発生することを抑制できるコネクタを提供しようとするものである。
【０００６】
【課題を解決するための手段】
本発明は、前記課題を解決するため、次の手段を採用する。
【０００７】
一定のピッチで並設される複数のコンタクトと、前記各コンタクトを保持するインシュレータとから構成されるコネクタにおいて、前記各コンタクトは、前記インシュレータに保持される保持部と、接続対象物と接触する接触部と、端子部と、前記接触部と前記端子部とを連結する連結部とを有し、前記インシュレータは、少なくとも前記保持部を収容する第１の収容部と、前記端子部と前記連結部のそれぞれの少なくとも一部を収容する第２の収容部とを有し、前記ピッチ方向において、前記第２の収容部は前記第１の収容部よりも幅広に形成され、前記第２の収容部に収容された前記連結部は、傾斜したクランク状に形成され、前記接触部の中心線と前記端子部の中心線とは異なるコネクタ。
【０００８】
【発明の実施の形態】
本発明の一実施の形態例のコネクタについて図１〜図６を参照して説明する。
【０００９】
コネクタ１は、インシュレータ２と、インシュレータ２に一定のピッチで保持される多数のコンタクト３と、各コンタクト３に対向するようにインシュレータ２にそれぞれ保持される多数の弾性変形可能なコンタクト４（図６参照）と、各対向コンタクト４を操作するアクチュエータ５とから構成される。
【００１０】
コネクタ１は、ＦＰＣ等の相手側コネクタ１１と接続する。
【００１１】
コネクタ１におけるコンタクト３とインシュレータ２の要部の正面図を図１に、側面図を図２に、下面図を図３に、それぞれ示す。
【００１２】
図４は、コンタクト３の三面図、図５は、コンタクト３の斜視図を、それぞれ示す。
【００１３】
各コンタクト３は、圧入部３ａと、圧入部３ａに連続する接触部３ｂと、接触部３ｂに連続して傾斜したクランク状に形成された連結部３ｃと、連結部３ｃに連続する端子部３ｄとから一体に構成される。接触部３ｂの上面側に、接点３ｂ１が突出して形成される。
【００１４】
圧入部３ａは、インシュレータ２に設けられた第１の収容部２ａに圧入される。接点３ｂ１は、相手側コネクタ１１の裏面に形成された信号パターン（図示せず）と接触する。連結部３ｃは、インシュレータ２に設けられた第２の収容部２ｂに収容される。端子部３ｄは、プリント基板（図示せず）の表面に形成された信号パターンと接続する。
【００１５】
図１において、接触部３ｂの中心線と端子部３ｄの中心線との間の距離をＥとし、端子部３ｄの左側面と第２の収容部２ｂの左壁面との間のクリアランスをａとし、端子部３ｄの右側面と第２の収容部２ｂの右壁面との間のクリアランスをｂとする。
【００１６】
図３において、コンタクト３における接点３ｂ１から連結部３ｃの端子部（ＳＭＴ部）３ｄ側までのピッチ方向に直交する方向における距離をＤとし、連結部３ｃの左側面と第２の収容部２ｂの左壁面との間の最大のクリアランスをｃとし、連結部３ｃの右側面と第２の収容部２ｂの右壁面との間の最大のクリアランスをｄとする。
【００１７】
このように、コンタクト３とインシュレータ２が構成されているため、クリアランスｃはクリアランスａよりも大きく、また、クリアランスｄはクリアランスｂよりも大きいから、雰囲気にさらされるコンタクト３とインシュレータ２の各面積が増大するので、毛細管現象に基因するフラックスの上がりが抑制される。更に、コンタクト３の連結部３ｃは、傾斜したクランク状に形成されているから、接点３ｂ１から連結部３ｃの端子部３ｄ側までの実際の距離は、上述した距離Ｄよりも大きいので、毛細管現象に基因するフラックスの上がりが抑制される。
【００１８】
コネクタ１と相手側コネクタ１１との接続について図６を参照して説明する。
【００１９】
インシュレータ２に保持された多数のコンタクト３にそれぞれ対向するように、多数の弾性変形可能なコンタクト４がインシュレータ２に保持される。コンタクト４における可動接点４ａと被押動部４ｂと端子部４ｃが、図示されている。
【００２０】
相手側コネクタ１１がコネクタ１のインシュレータ２に設けられた嵌合口２ｃに挿入された後に、アクチュエータ５をその押圧部５ａを中心として９０°矢印方向に回転させる。すると、押圧部５ａは、カムの役割を果たしてコンタクト４の被押動部４ｂを押し上げるから、可動接点４ａは、相手側コネクタ１１の表面を押圧してこの表面に形成された信号パターン（図示せず）に接触する。この結果、相手側コネクタ１１の表面の信号パターンは、コンタクト４の可動接点４ａ、中間部（図示せず）及び端子部４ｃを介してプリント基板（図示せず）の表面に形成された信号パターンと接続する。また、相手側コネクタ１１の裏面に形成された信号パターン（図示せず）は、コンタクト３の接点３ｂ１に接触する。この結果、相手側コネクタ１１の裏面の信号パターンは、コンタクト３を介してプリント基板の表面に形成された信号パターンと接続する。
【００２１】
【発明の効果】
以上の説明から明らかなように、本発明によれば、次の効果が奏される。
【００２２】
１．コンタクトの接点部と端子部との間に傾斜したクランク状に形成された連結部を設けることによって、コンタクトとインシュレータとの間に大きいクリアランスが確保される。したがって、コンタクトのピッチを拡大せずに、雰囲気にさらされるコンタクトとインシュレータの各面積が増大するので、フラックスの上がりが抑制される。
【００２３】
２．コンタクトにおける接点から連結部の端子部（ＳＭＴ部）側までの距離が長くなるので、更にフラックスの上がりが抑制される。
【図面の簡単な説明】
【図１】本発明の一実施の形態例のコネクタにおけるコンタクトとインシュレータの要部の正面図である。
【図２】同要部の側面図である。
【図３】同要部の下面図である。
【図４】同コンタクトの三面図であり、（Ａ）は平面図、（Ｂ）は側面図、（Ｃ）は背面図を、それぞれ示す。
【図５】同コンタクトの斜視図である。
【図６】同コネクタと相手側コネクタとが嵌合する前の状態を示す断面図である。
【符号の説明】
１  コネクタ
２    インシュレータ
２ａ    第１の収容部
２ｂ    第２の収容部
２ｃ    嵌合口
３    コンタクト
３ａ    圧入部（保持部）
３ｂ    接触部
３ｂ１    接点
３ｃ    連結部
３ｄ    端子部
４    コンタクト
４ａ    可動接触部
４ｂ    被押動部
４ｃ    端子部
５    アクチュエータ
５ａ    押圧部
１１    相手側コネクタ（ＦＰＣ等の接続対象物）
【図１】
0003665968.tif 000002
【図２】
0003665968.tif 000003
【図３】
0003665968.tif 000004
【図４】
0003665968.tif 000005
【図５】
0003665968.tif 000006
【図６】
0003665968.tif 000007